(57)【特許請求の範囲】
【請求項１】
表示装置であって、
特定の発光色を有する第一光源と、
前記第一光源の発光色とは異なる発光色を有する第二光源と、
前記第一光源及び前記第二光源が実装されるプリント配線板と、
前記第一光源から照射される光により照光される第一表示部と、
その一端側に前記第二光源から照射された光を受ける受光部を有するとともに、その他端側に前記受光部から受けた光により照光される第二表示部を有する導光部材と、
前記導光部材と前記第一光源との間に設けられた遮光部材とを備え、
前記遮光部材は、前記第一光源から照射される光が前記導光部材における前記第一光源側の部位から当該導光部材に進入することを遮るとともに、前記導光部材から漏れた光が前記第一表示部に至ることを遮る形状の第一遮光部と、前記導光部材における前記プリント配線板と対向する部位と前記プリント配線板との間に介在し、前記第一光源から照射される光が前記導光部材における前記プリント配線板と対向する部位から当該導光部材に進入することを遮るとともに、前記第二光源から照射される光が前記導光部材における前記プリント配線板と対向する部位と前記プリント配線板との間を通して前記第一光源側へ至ることを遮る形状の第二遮光部とを有し、
前記第一遮光部は、前記プリント配線板に近接又は接触する形状を有し、
前記第二遮光部は、前記第一遮光部におけるプリント配線板側の端部とつながっているとともに、当該端部から前記第二光源側に突出して前記受光部における前記第二光源側の端部に至るように伸びる形状を有し、
前記導光部材は、前記第二遮光部上に支持されている表示装置。
【請求項２】
請求項１に記載の表示装置において、
前記遮光部材は、前記導光部材の周囲を全体にわたって取り囲む形状を有する表示装置。
【請求項３】
請求項２に記載の表示装置において、
特定方向に操作される操作部材と、この操作部材の操作を検出する検出素子とをさらに備え、
前記第二表示部は、前記操作部材の周囲を全体にわたって取り囲む形状を有する表示装置。
【請求項４】
表示装置であって、
特定の発光色を有する第一光源と、
前記第一光源の発光色とは異なる発光色を有する第二光源と、
前記第一光源及び前記第二光源が実装されるプリント配線板と、
前記第一光源から照射される光により照光される第一表示部と、
その一端側に前記第二光源から照射された光を受ける受光部を有するとともに、その他端側に前記受光部から受けた光により照光される第二表示部を有する導光部材と、
前記導光部材と前記第一光源との間に設けられた遮光部材と、
特定方向に操作される操作部材と、
前記操作部材の操作を検出する検出素子とを備え、
前記遮光部材は、前記第一光源から照射される光が前記導光部材における前記第一光源側の部位から当該導光部材に進入することを遮るとともに、前記導光部材から漏れた光が前記第一表示部に至ることを遮る形状の第一遮光部と、前記導光部材における前記プリント配線板と対向する部位と前記プリント配線板との間に介在し、前記第一光源から照射される光が前記導光部材における前記プリント配線板と対向する部位から当該導光部材に進入することを遮るとともに、前記第二光源から照射される光が前記導光部材における前記プリント配線板と対向する部位と前記プリント配線板との間を通して前記第一光源側へ至ることを遮る形状の第二遮光部とを有し、
前記遮光部材は、前記導光部材の周囲を全体にわたって取り囲む形状を有し、
前記第二表示部は、前記操作部材の周囲を全体にわたって取り囲む形状を有する表示装置。
【発明の詳細な説明】
【技術分野】
【０００１】
本発明は、互いに異なる発光色を有する複数の光源を有する表示装置に関するものである。
【背景技術】
【０００２】
従来、互いに異なる発光色を有する複数の光源と、各光源から照射される光により照光される複数の表示部とを備える表示装置が知られている。このような表示装置では、意匠性や識別性の観点から、それぞれの表示部は、その表示部を照光するための光源から照射される光によってのみ照光されることが望ましく、そのため、各光源から照射される光同士が互いに混ざり合うことを防止する対策が講じられている。例えば、特許文献１には、第一の発光色を有する第一光源と、前記第一の発光色とは異なる発光色を有する第二光源と、各光源が実装されるプリント配線板と、前記第一光源から照射される光により照光される第一表示部と、前記第二光源から照射される光により照光される第二表示部と、各光源間に設けられた遮光部材とを備える表示装置が開示されている。前記遮光部材は、各光源間における前記第一表示部と前記第二表示部との間から前記プリント配線板に向かって伸びる形状を有する。これにより、各光源から照射される光同士の混ざり合いの防止が図られている。
【先行技術文献】
【特許文献】
【０００３】
【特許文献１】特開２０１１−１８７１９７号公報
【発明の概要】
【発明が解決しようとする課題】
【０００４】
上記特許文献１に記載の表示装置における遮光部材は、そのプリント配線板側の端部が前記プリント配線板と当接しない寸法とされているため、前記遮光部材のプリント配線板側の端部と当該プリント配線板との間には隙間が存在する。よって、前記第一光源から照射される光が当該隙間を経由して前記第二表示部に至る、あるいは、前記第二光源から照射される光が当該隙間を経由して前記第一表示部に至るという懸念があった。
【０００５】
本発明は、上記のような課題を解決するためになされたものであり、各光源から照射される光同士の混ざり合いを防止することにより、各表示部の意匠性や識別性を向上させることが可能な表示装置を提供することを目的とする。
【課題を解決するための手段】
【０００６】
前記課題を解決するため、前記遮光部材と前記第二光源との間に、プリント配線板に当接し、かつ、このプリント配線板から前記第二表示部に向かう方向に伸びる形状の導光部材を設けることが考えられる。このようにすれば、前記第二光源から照射される光は、前記導光部材を通って前記第二表示部に導かれるので、前記第一表示部に至ることが防止される。しかしながら、このようにした場合であっても、前記第一光源から照射される光は、前記隙間を経由して前記導光部材に進入し、前記第二表示部に至るという問題が残る。
【０００７】
そこで、本発明は、表示装置であって、特定の発光色を有する第一光源と、前記第一光源の発光色とは異なる発光色を有する第二光源と、前記第一光源及び前記第二光源が実装されるプリント配線板と、前記第一光源から照射される光により照光される第一表示部と、その一端側に前記第二光源から照射された光を受ける受光部を有するとともに、その他端側に前記受光部から受けた光により照光される第二表示部を有する導光部材と、前記導光部材と前記第一光源との間に設けられた遮光部材とを備え、前記遮光部材は、前記第一光源から照射される光が前記導光部材における前記第一光源側の部位から当該導光部材に進入することを遮るとともに、前記導光部材から漏れた光が前記第一表示部に至ることを遮る形状の第一遮光部と、前記導光部材における前記プリント配線板と対向する部位と前記プリント配線板との間に介在し、前記第一光源から照射される光が前記導光部材における前記プリント配線板と対向する部位から当該導光部材に進入することを遮るとともに、前記第二光源から照射される光が前記導光部材における前記プリント配線板と対向する部位と前記プリント配線板との間を通して前記第一光源側へ至ることを遮る形状の第二遮光部とを有する表示装置を提供する。
【０００８】
この発明の表示装置によれば、各光源から照射される光同士の混ざり合いが防止され、各表示部の意匠性や識別性を向上させることができる。具体的には、前記遮光部材は、前記第一光源から照射される光が前記導光部材における前記第一光源側の部位から当該導光部材に進入することを遮る形状の第一遮光部と、前記導光部材における前記プリント配線板と対向する部位と前記プリント配線板との間に介在し、前記第一光源から照射される光が前記導光部材における前記プリント配線板と対向する部位から当該導光部材に進入することを遮る形状の第二遮光部とを有するので、前記第一光源から照射される光が前記導光部材に進入することが防止される。すなわち、前記第一光源から照射される光が前記第二表示部に至ることが防止されるので、前記第二表示部は、前記第一光源から照射される光と前記第二光源から照射される光とが混ざり合ったものではなく、前記第二光源から照射される光により照光される。
【０００９】
また、前記第一遮光部は、前記導光部材から漏れた光が前記第一表示部に至ることを遮り、かつ、前記第二遮光部は、前記第二光源から照射される光が前記導光部材における前記プリント配線板と対向する部位と前記プリント配線板との間を通して前記第一光源側へ至ることを遮るので、前記第二光源から照射される光が前記第一表示部へ至ることが防止される。よって、前記第一表示部は、前記第一光源から照射される光と前記第二光源から照射される光とが混ざり合ったものではなく、前記第一光源から照射される光により照光される。
【００１０】
この場合において、前記第一遮光部は、前記プリント配線板に近接又は接触する形状を有し、前記第二遮光部は、前記第一遮光部におけるプリント配線板側の端部とつながっているとともに、当該端部から前記第二光源側に突出して前記受光部における前記第二光源側の端部に至るように伸びる形状を有することが好ましい。
【００１１】
このようにすれば、各光源から照射される光同士の混ざり合いをより確実に防止することができる。すなわち、前記第一遮光部は、前記プリント配線板と近接又は接触する形状を有し、前記第二遮光部は、前記受光部における前記第二光源側の端部に至るように伸びる形状を有するので、前記第一光源から照射される光が前記導光部材に進入することがより確実に防止され、かつ、前記第二光源から照射される光が前記第一光源側ないし前記第一表示部に至ることがより確実に防止される。
【００１２】
さらに、前記第一遮光部が前記プリント配線板に近接する形状の場合、前記遮光部材と前記プリント配線板との間には隙間が形成されるが、この場合であっても、前記隙間を通過しようとする光は当該隙間を通過する過程で十分に減衰されるので、この隙間を通過する光量が著しく低下し、これにより両光源から照射される光同士の混ざり合いが防止される。すなわち、各光源から照射される光は、前記第一遮光部と前記プリント配線板との間で反射を繰り返して減衰される。加えて、前記第二遮光部が、前記第一遮光部におけるプリント配線板側の端部から前記受光部における前記第二光源側の端部に至るように伸びる形状を有することにより、各光源から照射される光は、この第二遮光部と前記プリント配線板との間においても反射が繰り返されるので、前記遮光部材と前記プリント配線板との間に形成される隙間を通過しようとする光の減衰効果が高まる。
【００１３】
さらにこの場合において、前記導光部材は、前記第二遮光部上に支持されていることが好ましい。
【００１４】
このようにすれば、前記導光部材の位置が安定するので、前記第二光源から照射されて前記第二表示部へ至る光量が一定に保たれ、これにより、前記第二表示部の輝度が一定に保たれる。
【００１５】
また、本発明において、前記遮光部材は、前記導光部材の周囲を全体にわたって取り囲む形状を有することが好ましい。
【００１６】
このようにすれば、前記第一光源から照射される光が前記導光部材に進入することが一層抑制され、かつ、前記第二光源から照射される光が前記第一表示部に至ることが一層抑制されるので、前記第一表示部への前記第一光源から照射された光の到達度、及び前記第二表示部への前記第二光源から照射された光の到達度がそれぞれ向上する。よって、各表示部の意匠性や識別性が一層向上する。
【００１７】
この場合において、特定方向に操作される操作部材と、この操作部材の操作を検出する検出素子とをさらに備え、前記第二表示部は、前記操作部材の周囲を全体にわたって取り囲む形状を有することが好ましい。
【００１８】
このようにすれば、前記操作部材の全周にわたって前記第二表示部が位置するので、当該操作部材の位置を明瞭に認識することができる。また、前記第二表示部を含む導光部材は、前記遮光部材によりその周囲が取り囲まれているので、前記操作部材の周囲は、確実に前記第二光源から照射される光により照光される。
【発明の効果】
【００１９】
以上のように、本発明によれば、各光源から照射される光同士の混ざり合いを抑制することにより、各表示部の意匠性や識別性を向上させることが可能な表示装置を提供することができる。
【図面の簡単な説明】
【００２０】
【図１】本発明の第一実施形態の表示装置及び操作装置の平面図である。
【図２】図１に示す表示装置及び操作装置の断面図である。
【図３】図２に示す第二遮光部の近傍の拡大図である。
【図４】本発明の第二実施形態の表示装置の平面図である。
【図５】図４に示す表示装置の断面図である。
【発明を実施するための形態】
【００２１】
（第一実施形態）
本発明の第一実施形態について、図１ないし図３を参照しながら説明する。
【００２２】
図１に示すように、本実施形態の表示装置は、自動車等の車両に搭載される車両の電子機器、具体的には、空調装置やカーナビゲーションシステム、あるいはカーオーディオシステム等を操作するための操作装置とともに用いられることが可能である。なお、この表示装置は、前記操作装置とともに用いられることが必須の構造ではない。また、以下の説明において、後述のパネル２０の意匠面側（図２の上側）を表面側又は前端側とし、その反対側を裏面側又は後端側とする。
【００２３】
図２に示すように、この表示装置は、第一光源１０と、第二光源１２と、プリント配線板１４と、第一光源１０から照射される光により照光される第一表示部２１と、第二光源１２から照射される光により照光される第二表示部３２を有する導光部材３０と、この導光部材３０と第一光源１０との間に設けられた遮光部材４０とを備える。また、前記操作装置は、特定方向に操作される操作部材１８と、この操作部材１８の操作を検出する検出素子１６と、検出素子１６を実装するプリント配線板１４とを備える。本実施形態では、この操作装置として回転操作装置を採用している。
【００２４】
第一光源１０は、特定の発光色を有し、第二光源１２は、第一光源１０の発光色とは異なる発光色を有する。本実施形態では、第一光源１０として青色の発光色を有するＬＥＤを用い、第二光源１２として赤色の発光色を有するＬＥＤを用いている。各光源は、プリント配線板１４に実装されている。
【００２５】
プリント配線板１４は、所定の導体パターンが形成された基板であり、導光部材３０及び遮光部材４０を挟んだ両側に第一光源１０及び第二光源１２をそれぞれ実装可能な光源実装部を有する。またこのプリント配線板１４は、検出素子１６を実装可能な素子実装部を有する。図２に示すように、このプリント配線板１４は、ケース２２内に収容されている。
【００２６】
第一表示部２１は、第一光源１０から照射される光により照光される。本実施形態では、第一表示部２１は、当該表示装置の意匠面を形成するパネル２０の所定部位に設けられており、操作部材１８の操作量の表示に用いられる。図１に示すように、この第一表示部２１は、操作部材１８の周囲を取り囲む円形状を呈する。
【００２７】
操作部材１８は、特定の回転軸回りに回転操作される。そして、この操作部材１８の回転操作が検出素子１６により検出される。操作部材１８は、円筒状の被把持部１８ａと、この被把持部１８ａの前端側を塞ぐ形状の前壁１８ｂと、検出素子１６に連結される被連結部１８ｃとを有する。検出素子１６は、被連結部１８ｃと接続可能であり操作部材１８の回転操作に同期して回転する回転軸１６ａを有し、この回転軸１６ａの回転により当該検出素子１６に内蔵された接点が切り替えられる。この検出素子１６としては、可変抵抗式のものや、パルスを出力するロータリエンコーダ等を用いることができる。なお、本実施形態では、操作装置として回転操作装置を用いた例について説明したが、この操作装置としては、押圧操作装置や揺動操作装置等であってもよい。
【００２８】
導光部材３０は、受光部３１と、第二表示部３２と、第一導光部３３と、第二導光部３４とを有する。受光部３１、第一導光部３３及び第二表示部３２は、当該表示装置の後側から前側（図２の下側から上側）に向けてこの順につながっている。この導光部材３０は、本実施形態では、前記操作装置の周囲を取り囲む形状を有するが、当該導光部材３０の形状としては、これに限らず、第一光源１０と第二光源１２との間に位置する部位を有するものであればよい。
【００２９】
受光部３１は、第二光源１２から照射された光を受ける部位である。図３に示すように、この受光部３１は、導光部材３０のうち第二光源１２に最も近接した位置に形成される。またこの受光部３１は、反射面３１ａを有する。反射面３１ａは、第二光源１２から照射された光を反射させて第二表示部３２へ導く形状を有する。具体的に、この反射面３１ａは、受光部３１のうち第二光源１２側と反対側の角部を面取りした形状としている。
【００３０】
第二表示部３２は、導光部材３０における前端部に形成されており、受光部３１で受けた光によって照光される。この第二表示部３２は、操作部材１８の周囲を取り囲み、かつ、第一表示部２１よりもその径が小さな円形状を呈する。図１及び図２に示すように、第二表示部３２は、操作部材１８とパネル２０との間に位置する。
【００３１】
第一導光部３３は、受光部３１で受けた光を第二表示部３２に導光する部位であり、円筒状を呈する。第一導光部３３は、受光部３１と第二表示部３２とを結ぶ方向（図２の上下方向）に伸びる形状を有する。この第一導光部３３は、後述の係止部４２ｂに係合可能な形状の被係止部３３ａを有する。この被係止部３３ａは、第一導光部３３における遮光部材４０と対向する部位に形成される。本実施形態では、被係止部３３ａは、遮光部材４０側へ突出する突起としている。
【００３２】
第二導光部３４は、操作部材１８を照光するための部位である。具体的に、第二導光部３４は、第一導光部３３の途中からその内側に向かって突出する方向に伸び、その後、操作部材１８側へ向かって折れ曲がった形状を有する。これにより、受光部３１で受けた光が第二導光部３４に分岐することによって、操作部材１８がその裏面側から照光される。
【００３３】
遮光部材４０は、第一光源１０から照射される光と第二光源１２から照射される光との混ざり合いを防止する部材である。具体的には、第一光源１０から照射された光が第一表示部２１に至るまでの領域を、第二光源１２から照射された光が第二表示部３２に至るまでの領域から遮断するものである。この遮光部材４０は、導光部材３０の第一光源１０側に当該導光部材３０と隣接して設けられる。本実施形態では、遮光部材４０は、導光部材３０を全周にわたって取り囲む円筒状としている。そして、遮光部材４０は、第一遮光部４１と第二遮光部４４とを有する。
【００３４】
第一遮光部４１は、第一光源１０から照射される光が第一導光部３３における第一光源１０側の部位から当該第一導光部３３に進入することを遮るとともに、第一導光部３３から漏れた光が第一表示部２１に至ることを遮る形状を有する。第一遮光部４１は、後側第一遮光部４２と前側第一遮光部４３とを有し、両者はその前後方向（図２の上下方向）における一部で重なる。具体的には、後側第一遮光部４２の前端部の外側に前側第一遮光部４３の後端部が位置するように両者が重なっている。後側第一遮光部４２は、導光部材３０の後端側の周囲を取り囲む形状を有し、前側第一遮光部４３は、導光部材３０の前端側の周囲を取り囲む形状を有する。図３に示すように、後側第一遮光部４２の後端面４２ａは平坦に形成されている。そして、後側第一遮光部４２の前端側には、導光部材３０の被係止部３３ａを係止可能な係止部４２ｂが形成されている。本実施形態では、この係止部４２ｂは、被係止部３３ａを受け入れ可能な形状の開口としている。前側第一遮光部４３は、その後端部が係止部４２ｂの外側を塞ぐ形状を有するとともに、その前端部がパネル２０の裏面側に接触する形状を有する。
【００３５】
第二遮光部４４は、導光部材３０におけるプリント配線板１４と対向する対向部（受光部３１の後端面）とプリント配線板１４との間に介在する。この第二遮光部４４は、第一光源１０から照射される光が前記対向部から当該導光部材３０に進入することを遮るとともに、第二光源１２から照射される光が前記対向部とプリント配線板１４との間を通って第一光源１０側へ至ることを遮る形状を有する。具体的に、第二遮光部４４は、後側第一遮光部４２におけるプリント配線板１４側の端部とつながっているとともに、当該端部から第二光源１２側に突出する形状を有する。そして、この第二遮光部４４は、後側第一遮光部４２におけるプリント配線板１４側の端部から、受光部３１における第二光源１２側の端部に至るように伸びる形状を有する。また、図３に示すように、第二遮光部４４の後端面４４ａは平坦に形成されており、後側第一遮光部４２の後端面４２ａと面一となっている。遮光部材４０は公差を考慮して製造されるので、両後端面４２ａ，４４ａとプリント配線板１４の表面との間には、僅かな隙間が形成されるが、図３に示すように、両後端面４２ａ，４４ａはプリント配線板１４の表面に接触することが好ましい。導光部材３０は、この第二遮光部４４上に支持されたときにその被係止部３３ａが係止部４２ｂと係合する寸法に設定される。
【００３６】
以上説明したように、本実施形態の表示装置によれば、各光源１０，１２から照射される光同士の混ざり合いが防止され、各表示部２１，３２の意匠性や識別性を向上させることができる。具体的には、後側第一遮光部４２及び前側第一遮光部４３が、導光部３３の周囲を全周にわたって取り囲む形状を有し、第二遮光部４４が導光部材３０における前記対向部とプリント配線板１４との間に介在するので、第一光源１０から照射される光が導光部材３０に進入して第二表示部３２に至ることが防止され、かつ、導光部材３０から漏れ出た光が第一表示部２１に至ることが防止される。よって、第一表示部２１は、各光源から照射される光が互いに混ざり合ったものではなく、第一光源１０から照射される青色の光によってのみ照光され、同様に、第二表示部３２は、各光源から照射される光が互いに混ざり合ったものではなく、第二光源１２から照射される赤色の光によってのみ照光される。
【００３７】
また、本実施形態の表示装置は、遮光部材４０における両後端面４２ａ，４４ａとプリント配線板１４との間には隙間が形成されるが、この隙間を通過しようとする光は当該隙間を通過する過程で十分に減衰されるので、この隙間を通過する光量が著しく低下し、これにより両光源から照射される光同士の混ざり合いが防止される。すなわち、各光源から照射される光は、後側第一遮光部４２の後端面４２ａとプリント配線板１４との間で反射を繰り返して減衰される。加えて、第二遮光部４４が、後側第一遮光部４２の後端面４２ａとつながっているとともに、受光部３１における第二光源１２側の端部に至るように伸びる形状の後端面４４ａを有することにより、各光源から照射される光は、この第二遮光部４４の後端面４４ａとプリント配線板１４との間においても反射が繰り返されるので、遮光部材４０とプリント配線板１４との間に形成される隙間を通過しようとする光の減衰効果が高まる。
【００３８】
さらに、導光部材３０が第二遮光部４４に支持されるので、当該導光部材３０の位置が安定する。これにより、受光部３１が受ける光量が一定に保たれ、第二表示部３２へ至る光量も一定に保たれるので、第二表示部３２の輝度が一定に保たれる。このとき、導光部材３０の被係止部３３ａが遮光部材４０の係止部４２ｂと係合されているので、当該導光部材３０は極めて安定した状態で遮光部材４０に支持される。
【００３９】
（第二実施形態）
続いて、本発明の第二実施形態の表示装置について、図４及び図５を参照しながら説明する。なお、第二実施形態では、主に第一実施形態と異なる部分についての説明を行い、第一実施形態と同じ構造、作用及び効果については、その説明を省略する。
【００４０】
本実施形態の表示装置は、飲料や食品等の自動販売機に適用されたものである。この表示装置は、第一光源１０から照射される光により照光される第一表示部２１を有する押圧操作部材２０′を備える。第一表示部２１は、その表面が平坦な略矩形状を呈する。よって、第一光源１０から照射される光により、この第一表示部２１の表面全体が照光される。なお、押圧操作部材２０′の押圧操作は、図示しない検出素子により検出される。
【００４１】
導光部材３０の第二表示部３２は、その表面が平坦な略矩形状を呈する。よって、第二光源１２から照射される光により、第二表示部３２の表面全体が照光される。この第二表示部３２には、例えば「売り切れ」という文字が表示される。
【００４２】
遮光部材４０は、押圧操作部材２０′と導光部材３０との間に設けられている。遮光部材４０は、第一表示部２１と第二表示部３２との間からプリント配線板１４に向けて伸びる形状の第一遮光部４１と、この第一遮光部４１におけるプリント配線板１４側の端部から第二光源１２に向けて突出する形状の第二遮光部４４とを有する。
【００４３】
以上のように、本実施形態においても、第一実施形態と同じ効果が得られる。すなわち、各光源１０，１２から照射される光同士の混ざり合いが防止され、各表示部２１，３２の意匠性や識別性を向上させることができる。具体的には、第一遮光部４１が、導光部材３０の外側面を全周にわたって取り囲む形状を有し、第二遮光部４４が導光部材３０におけるプリント配線板１４と対向する部位とプリント配線板１４との間に介在するので、第一光源１０から照射される光が導光部材３０に進入して第二表示部３２に至ることが防止され、かつ、導光部材３０から漏れ出た光が第一表示部２１に至ることが防止される。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
例えば、上記各実施形態では、いずれか一方の表示部が操作装置のために用いられた例について示したが、この操作装置を省略し、両表示部がともにパネルに形成された特定の表示として用いられるものであってもよく、あるいは、各実施形態において前記操作装置とは別の操作装置を追加し、各表示部がそれぞれの操作装置を表示するものとして用いられるものであってもよい。
【符号の説明】
【００４６】
１０    第一光源
１２    第二光源
１４    プリント配線板
１６    検出素子
１８    操作部材
２０    パネル
２０′  押圧操作部材
２１    第一表示部
２２    ケース
３０    導光部材
３１    受光部
３２    第二表示部
３３    第一導光部
３３ａ  被係止部
３４    第二導光部
４０    遮光部材
４１    第一遮光部
４２    後側第一遮光部
４２ａ  後端面
４２ｂ  係止部
４３    前側第一遮光部
４４    第二遮光部
４４ａ  後端面
【図１】
0005831348.tif 000002
【図２】
0005831348.tif 000003
【図３】
0005831348.tif 000004
【図４】
0005831348.tif 000005
【図５】
0005831348.tif 000006